(57)【特許請求の範囲】
【請求項１】
モータ駆動されるドライバによってマガジン部に装填されたステープルを綴じ用紙に向けて打ち出すドライバユニットと、綴じ用紙を貫通したステープルの脚を綴じ用紙の裏面に沿って折り曲げるクリンチャユニットとを独立させて構成するとともに、各ユニットを所定間隔を隔ててそれぞれを移動可能に支持させた機器内蔵型のホッチキスにおいて、各ユニットの移動範囲の一方の端部における停止位置をずらして設定するとともに、前記一方のユニットの停止位置を前記他方のユニットの停止位置よりも移動範囲の内側に設定したことを特徴とする機器内蔵型ホッチキス。
【発明の詳細な説明】
【０００１】
【発明の属する技術分野】
本発明は、コピー機やファクシミリ機等の機器に内蔵されて、コピー用紙やファクシミリ受信した用紙を所定枚数毎に綴じ合わせする機器内蔵型の電動ホッチキスに関する。
【従来の技術】
【０００２】
コピー機やファクシミリ機等の事務機器において、これらの機器でコピーやファクシミリ受信等の処理が行われた用紙を所定の枚数毎に自動的に綴じ合わせするために、電動モータ等で駆動されるホッチキスを内蔵した機器が知られている。通常の机上等で使用されるホッチキスでは、マガジン部に装填されたステープルを綴じ用紙に向けて順次打ち出すようにしたマガジン部に対して、綴じ用紙を貫通したステープルの脚先端を折り曲げるクリンチャ部とが一端部で互いに枢着支持されて構成されているものであるが、上記のような事務機器に内蔵されているホッチキスでは、モータによりドライバを駆動してマガジン部に装填されたステープルを綴じ用紙に向けて順次打ち出すようにしたドライバユニットと、綴じ用紙を貫通したステープルの脚先端を綴じ用紙の背面に沿って折り曲げるクリンチャユニットとが独立して構成されており、両ユニットが所定の間隔を隔てて機器のフレームに各々が独立して移動可能に支持されている。綴じ用紙は両ユニットの間に供給されて、両ユニットを同期させて移動・駆動させることにより綴じ用紙の任意の箇所へステープル止めが行われる。このように構成することにより、ドライバユニットとクリンチャユニットの間に両ユニットを枢着支持する機構を必要としないので、コピー機等で処理される用紙を両ユニットの間で供給・排出方向を自由に設計できるため、例えば用紙を一定方向に供給排出させるようにする等で機器の設計が容易であり、また処理速度の向上が図れるというメリットがある。
【０００３】
【発明が解決しようとする課題】
ところで、上記の機器内蔵型のホッチキスにおいては、ドライバユニットのマガジン部へのステープルの補充を行う必要があり、また、ドライバによってドライバユニットのマガジン先端部に形成されている打出通路から打ち出されるステープルの脚が、綴じ用紙を貫通できず座屈してしまい前記打出通路内に詰まってしまうことが希に発生する。これらの場合には、ドライバユニットをホームポジションへ移動させてドライバユニットのマガジン部へステープルを補充する作業を行ったり、また、ドライバユニットのマガジン先端部に形成されている打出通路内から詰まったステープルを除去する作業が必要となる場合がある。
【０００４】
従来の機構では、綴じ用紙の任意の箇所にステープル止めを行うためドライバユニットとクリンチャユニットとは上下に整合した状態で同期して移動できるように支持されており、両ユニットの位置の位置を一致させるために両ユニットの移動範囲の一端側にホームポジションが設定されており、両ユニットをホームポジションに移動させた状態でステープルの装填やジャムステープルの除去作業を行うようにしている。しかしながら、上記両ユニットのホームポジションは同じ位置に設定されているため、両ユニットがホームポジションに移動された状態では、ドライバユニットのマガジン部の上方にクリンチャユニットが位置しているため、ドライバユニットのマガジン部に対してのステープルの装填やジャムステープルの除去作業がやりづらいという問題があった。
【０００５】
本発明は、ドライバユニットとクリンチャユニットとを独立させて移動可能に支持させたホッチキスでの、ドライバユニットのマガジン部へのステープル補充のための作業や、マガジン先端部の打出通路内で詰まってしまったジャムステープルの除去の作業を容易に行うことが可能な機器内蔵型のホッチキスを提供することを課題とするものである。
【０００６】
【課題を解決するための手段】
上記課題を解決するため本発明は、モータ駆動されるドライバによってマガジン部に装填されたステープルを綴じ用紙に向けて打ち出すドライバユニットと、綴じ用紙を貫通したステープルの脚を綴じ用紙の裏面に沿って折り曲げるクリンチャユニットとを独立させて構成するとともに、各ユニットを所定間隔を隔ててそれぞれを移動可能に支持させた機器内蔵型のホッチキスにおいて、各ユニットの移動範囲の一方の端部における停止位置をずらして設定するとともに、前記一方のユニットの停止位置を前記他方のユニットの停止位置よりも移動範囲の内側に設定したことを特徴とするものである。
【０００７】
【発明の実施の形態】
以下、本発明の実施の形態を図に示す実施例に基づいて説明する。図１はコピー機、印刷機又はファクシミリ等の事務機器の内部に組み込まれて、コピー、印刷又はファックス受信した所定枚数の用紙を自動的に綴じ合わせる電動ホッチキスを示す。電動ホッチキス１は、多数のステープルが装填されたマガジン部、該マガジン内のステープルを綴じ用紙に向けて打ち出すドライバプレート及び前記ドライバプレートを駆動する駆動機構から構成されているドライバユニット２と、綴じ用紙を貫通したステープルの脚を綴じ用紙の裏面に沿って折り曲げる可動クリンチャ機構とこれを駆動する駆動機構から構成されているクリンチャユニット３とからなっている。両ユニット２、３にはそれぞれガイドスリーブ４、５が一体に形成されており、該ガイドスリーブ４、５を介して事務機器内に形成されている両側のフレーム６間に架設されているガイドロッド７、８に摺動自在に支持されている。
【０００８】
ドライバユニット２とクリンチャユニット３を摺動自在にガイドしているガイドロッド７、８と平行に各ユニット２、３を各々ガイドロッド７、８に沿って移動させるための駆動シャフト９、１０が両側のフレーム６間に配置されており、該駆動シャフト９、１０の外周面には同一ピッチの螺旋溝１１が形成されている。図３及び図４に示すように、ドライバユニット２及び各クリンチャユニット３には各々の駆動シャフト９、１０に向けて突出された係合片１２、１３がそれぞれ設けられており、該係合片１２、１３が駆動シャフト９、１０の前記螺旋溝１１と係合されることにより、駆動シャフト９、１０の回転に伴って各ユニット２、３がガイドロッド７、８に沿って移動され、綴じ用紙の任意の位置にステープル止めを行う。
【０００９】
ドライバユニット２とクリンチャユニット３を移動させるための各々の駆動シャフト９、１０の回転方向及び回転速度は互いに同期されており、ドライバユニット２とクリンチャユニット３は上下方向に整合した状態でガイドロッド７、８上を同じ方向へ移動される。これにより、ドライバユニット２から打ち出されるステープルの位置とクリンチャユニット３の位置がずれることなく移動した任意の位置でステープル止めが確実に行える。駆動シャフト９、１０の外周面に形成されている螺旋溝１１の断面は駆動シャフトの回転を各ユニット２、３の移動方向に確実に伝えるため図５に示すように溝の底部が狭くなるようにほぼ台形に形成されている。
【００１０】
ドライバユニット２とクリンチャユニット３は、コピー等の処理された綴じ用紙を通過させる用紙通路１４を挟んで上下方向に間隔を隔てて対峙して配置されており、両ユニット２、３間に形成された用紙通路１４に供給された綴じ用紙の所定位置にステープル止めを行うように各々が駆動される。なお、両ユニット２、３をステープル止め位置へ移動させる制御や、ドライバユニット２とクリンチャユニット３をそれぞれ駆動して綴じ用紙へのステープル止めを行わせる駆動制御はコピー機等の事務機器側に設けた制御装置により、コピー等の処理及び用紙の給排処理の制御とともに行われる。
【００１１】
クリンチャユニット３の移動範囲の一側にはクリンチャユニット３の一側への移動範囲を規制するためのストッパ１５が形成されており、このストッパ１５の端部がクリンチャユニット３のガイドスリーブ５の端部と当接することによりクリンチャユニット３の移動が阻止されて停止させられる。ドライバユニット２の移動範囲の一側にはストッパが形成されておらず、従ってドライバユニット２は図２に示すようにクリンチャユニット３の停止位置よりも更に一側方向に移動が可能となっている。
【００１２】
図３及び図４に示すように、駆動シャフト９、１０の螺旋溝１１と係合するドライバユニット２とクリンチャユニット３に設けられている各々の係合片１２、１３は、各ユニット２、３から駆動シャフト９、１０に向けて突出するようにバネ１６による付勢力が作用されており、このバネ１６の作用により先端部が螺旋溝１１内に収容されるように係合されている。ドライバユニット２のマガジン内のステープルが無くなったとき又は、マガジン先端部のステープルの打出通路内でステープルがジャムして詰まった場合には、前記制御装置を介してステープルの装填又はジャムステープル除去の作業を行うように指示が行われる。これらの作業の制御が作動すると駆動シャフト９、１０が回転駆動されてドライバユニット２とクリンチャユニット３が上下に整合した状態で一側方向に移動される。クリンチャユニット３が前記ストッパ１５により停止されたとき、駆動シャフト１０の更なる回転に伴ってクリンチャユニット３側の係合片１３はバネ１６の付勢力に抗してクリンチャユニット３側に退避動して螺旋溝１１から外れる。このとき、螺旋溝１１の断面は前記のように台形である為、係合片１３は容易に螺旋溝から離れることができる。ドライバユニット２にはストッパが形成されていないので、駆動シャフト９の回転により更に一側方向に移動して移動範囲の端部で停止される。
【００１３】
従って、ステープルの装填やジャムステープル除去の作業を行うため、ドライバユニット２とクリンチャユニット３とを一側に移動させた状態では、ドライバユニット２とクリンチャユニット３の上下の整合状態が解消し、ドライバユニット２がクリンチャユニット３よりも更に一側方向に移動するので、ドライバユニット２の上面側に空間が形成されて、ドライバユニット２のマガジン部へのステープルの補充のための操作及び、ドライバユニット２のマガジン前端部のステープル通路内のジャムステープルの除去作業が楽に行えるようになる。
【００１４】
ドライバユニット２のマガジン部へのステープルの装填作業や、マガジン先端部からのジャムステープルの除去の作業が終了した後は、駆動シャフト９、１０を逆方向に回転駆動して両ユニット２、３を反対側の端部まで駆動させて、クリンチャユニット３の係止片１３が駆動シャフト１０の螺旋溝１１の所定の位置に再度係合するように操作する。このとき、クリンチャユニット３は係合片１３が駆動シャフト１０の螺旋溝１１の任意位置に係合してドライバユニット２より先行して他側方向に移動し、他方の端部に形成されているホームポジション位置で停止されて係合片１３が螺旋溝１１から外れる。駆動シャフト９、１０が更に回転することによりドライバユニット２がホームポジション位置まで移動されて、この時点でクリンチャユニット３の係合片１３が駆動シャフト１０の元の螺旋溝１１位置と係合して、これによりドライバユニット２とクリンチャユニット３とは上下方向に整合した状態で一緒に移動できるようになり、任意の位置に移動してステープル止めを行うことができる。また、ドライバユニット２をストッパで停止させ、クリンチャユニット３が更に一側方向に進むことができる構成にしてもよい。
【００１５】
【発明の効果】
以上のように本発明によれば、ステープルの装填やジャムステープル除去のための作業の対象となるドライバユニット２の停止位置を、それの上方に配置されるクリンチャユニット３の停止位置よりも移動範囲の内側に移動できるように設定しているので、これらの作業時にはドライバユニット２のマガジン部の上部に大きな空間を形成させることができ、ステープルの装填作業や、ジャムステープルの除去作業が、クリンチャユニット３により邪魔されること無く、容易に行うことが可能となる。
【図面の簡単な説明】
【図１】機器内蔵型のホッチキスの通常のステープル止め駆動時の正面図
【図２】ステープル装填作業のために移動した状態の図１と同じ正面図
【図３】図１と同じ状態のクリンチャユニットの係合片と駆動シャフトの関係を示す正面図
【図４】図２と同じ状態のクリンチャユニットの係合片と駆動シャフトの関係を示す正面図
【図５】駆動シャフトと係合片の構造を示す拡大断面図
【符号の説明】
１  電動ホッチキス
２  ドライバユニット
３  クリンチャユニット
４  ガイドスリーブ
５  ガイドスリーブ
６  フレーム
７  ガイドロッド
８  ガイドロッド
９  駆動シャフト
１０  駆動シャフト
１１  螺旋溝
１２  係合片
１３  係合片
１４  用紙通路
１５  ストッパ
１６  バネ
【図１】
0004748293.tif 000002
【図２】
0004748293.tif 000003
【図３】
0004748293.tif 000004
【図４】
0004748293.tif 000005
【図５】
0004748293.tif 000006